(57)【要約】【課題】  巻き癖等の原因によりペーパーの先端の両サイドが巻芯側に反ったものであっても、巻芯に確実に巻き付けることができるペーパーマガジンを提供する。【解決手段】  本発明は、巻芯３３３Ａ〜３３３Ｇの少なくともペーパーの両サイドに対応する位置に、該ペーパーとの摩擦力を高めるための部材３３３ｆを配置し、ペーパー及び巻芯間の摩擦力を高め、ペーパーを確実に巻き付かせる。【選択図】  図５
2006098714.tif 000002
【特許請求の範囲】
【請求項１】
マガジン本体内に、巻芯と、一端が回転自在に軸支された複数の巻取りガイドとを備え、巻取りガイドが巻芯の周辺を渦巻き放射状に取り囲むセット位置状態と巻取りガイドが巻芯から離間するセット解除位置状態とに切り替え可能に構成されたペーパーマガジンにおいて、巻芯の少なくともペーパーの両サイドに対応する位置に、該ペーパーとの摩擦力を高めるための部材が配置されることを特徴とするペーパーマガジン。
【請求項２】
前記巻芯は、巻芯本体に回り止めされた状態で外嵌装着される筒状のコアを備え、該コアに前記部材が配置されることを特徴とする請求項１に記載のペーパーマガジン。
【請求項３】
前記部材は、前記コアに外嵌装着されるバンド帯であることを特徴とする請求項２に記載のペーパーマガジン。
【請求項４】
前記コアは、幅サイズの異なる複数種類のリングを適宜組み合わせることにより、ペーパーの幅サイズに対応可能であり、しかも、複数種類のリングの一部は、前記バンド帯が外嵌装着されており、該バンド帯がペーパーの両サイドに対応する位置にくるようにリングを組み合わせてコアを構成することを特徴とする請求項３に記載のペーパーマガジン。
【発明の詳細な説明】
【技術分野】
【０００１】
本発明は、感光材料、プリント紙、あるいは感熱紙といったペーパーを収容するペーパーマガジンに関し、より詳しくは、長尺のまま露光処理や印刷処理等が施されたペーパーを切断することなくロール状に巻き取って回収するペーパーマガジンに関する。
【背景技術】
【０００２】
ペーパーに露光処理や印刷処理を施して画像を形成する画像形成装置には、大量処理向けのものがある。かかる画像形成装置は、装置本体に対し、供給用ペーパーマガジンと、回収用ペーパーマガジンとが着脱自在に構成され、供給用ペーパーマガジンから装置本体内に繰り出される長尺なペーパーに画像形成処理を施した後、該ペーパーを切断することなくそのままロールにして回収用ペーパーマガジン内に収める、いわゆるRoll-to-Roll（ロール−トゥー−ロール）と呼ばれる画像形成装置である。
【０００３】
この種の装置は、装置本体から排出されるペーパーの先端が回収用ペーパーマガジンの巻芯に巻き付いた後は、該巻芯が装置本体の駆動系と同期して回転することにより、画像形成処理を終えたペーパーを回収用ペーパーマガジン内に順次巻き取っていくことができる構成であるため、装置本体から排出されるペーパーの先端を如何にして回収用ペーパーマガジンの巻芯に自動的に巻き付かせるかが省人化のポイントとなってくる。
【０００４】
この観点から発明された回収用ペーパーマガジンとしては、以下に説明する特許文献１に記載されたものが公知である。該回収用ペーパーマガジンは、図９（イ）に示す如く、マガジン本体１’に配置した巻芯２’を中心として、その周辺に渦巻き放射状に複数の巻取りガイド３’，４’，５’をその各基端部を支点として揺動自在に支持することにより、各巻取りガイド３’，４’，５’の先端部内面を組み合わせて巻芯２’の周囲にペーパーＰ’の環状経路６’を形成すると共に、巻取りガイド３’，４’，５’のうち、マガジン本体１’のペーパー受入口１ａ’側に位置する巻取りガイド３’と対向させて付設ガイド７’を配置することにより、ペーパー受入口１ａ’を介してマガジン本体１’内に送り込まれたペーパーＰ’を環状経路６’に案内するための誘導経路８’を形成している。
【０００５】
付設ガイド７’も、他の巻取りガイド３’，４’，５’と同様、その基端部を支点として揺動自在に支持されている。そして、付設ガイド７’の先端部が誘導経路８’から離間する方向に揺動するのに同期して他の巻取りガイド３’，４’，５’もその先端部が環状経路６’から離間する方向に揺動するよう、各巻取りガイド３’，４’，５’及び付設ガイド７’は、リンク機構９ａ’〜９ｆ’（作動機構）を介して作動的に連結されている。
【０００６】
このように構成された回収用ペーパーマガジンによれば、ペーパー受入口１ａ’からマガジン本体１’内に送り込まれたペーパーＰ’の先端は、誘導経路８’を通って環状経路６’内に入り込む。この時、ペーパーＰ’及び巻芯２’間の摩擦力により、ペーパーＰ’の先端が巻き付き、しかる後は、巻芯２’の回転に伴ってペーパーＰ’が巻き取られていく。そして、ペーパーＰ’が巻芯２’に所定周回分巻き取られると、ペーパーＰ’が巻芯２’から離脱するおそれがなく、また、巻き取られるペーパーＰ’が巻取りガイド３’等との摺接によりダメージを受けるのを避ける必要性があるため、図９（ロ）に示す如く、各巻取りガイド３’，４’，５’及び付設ガイド７’を退避方向に揺動させて、環状経路６’及び誘導経路８’を開放するようにしている。
【特許文献１】実開昭６３−５８２３５号公報
【発明の開示】
【発明が解決しようとする課題】
【０００７】
しかしながら、通常、ペーパーＰ’は、自身の重力や自身の癖及びロールとされている間に付いた巻き癖などが原因となって、裏面（巻芯２’に巻き付いていく側の面）側に反る傾向にある。そのため、ペーパーＰ’の先端は、両サイドが巻芯２’に接触し且つ中央部が巻芯２’に対して浮いた格好で巻芯２’に接触することとなるが、ペーパーＰ’が巻芯２’に対して部分的にしか接触しないことにより、ペーパーＰ’及び巻芯２’間の摩擦力が十分でないため、ペーパーＰ’はうまく巻芯２’に巻き付かず、その結果、巻芯２’が空転し続け、これに対し、ペーパーＰ’は順次送り込まれてくるということで、紙詰まりが発生してしまうおそれがある。
【０００８】
そこで、本発明は、上記問題点を解決するべくなされたもので、巻き癖等の原因によりペーパーの先端の両サイドが巻芯側に反ったものであっても、巻芯に確実に巻き付けることができるペーパーマガジンを提供することを課題とするものである。
【課題を解決するための手段】
【０００９】
本発明は、マガジン本体内に、巻芯と、一端が回転自在に軸支された複数の巻取りガイドとを備え、巻取りガイドが巻芯の周辺を渦巻き放射状に取り囲むセット位置状態と巻取りガイドが巻芯から離間するセット解除位置状態とに切り替え可能に構成されたペーパーマガジンにおいて、巻芯の少なくともペーパーの両サイドに対応する位置に、該ペーパーとの摩擦力を高めるための部材が配置されることを特徴とする。
【００１０】
かかる構成によれば、各巻取りガイドの先端部内面を組み合わせて巻芯の周囲にペーパー巻取りのための環状経路が形成され（セット位置状態）、これを介してペーパーの先端を巻芯に巻き付かせるが、巻き癖等の原因によりペーパーの先端の両サイドが巻芯側に反ったものであっても、巻芯の対応位置に配置された部材によりペーパー及び巻芯間には十分な摩擦力が発生し、ペーパーの先端は巻芯に確実に巻き付けられる。従って、ペーパーの巻芯への巻き付けは確実に進行する。そして、しかる後、巻芯に所定長さのペーパーが巻き付けば、各巻取りガイドを一斉に退避方向に揺動操作し、環状経路を開放する（セット解除位置状態）。
【００１１】
また、本発明は、前記巻芯は、巻芯本体に回り止めされた状態で外嵌装着される筒状のコアを備え、該コアに前記部材が配置される構成を採用することができる。かかる構成によれば、コアが巻き取ったペーパーのロールを外す際の芯を構成し、ロールが型くずれするのを防止することができる。
【００１２】
また、本発明は、前記部材は、前記コアに外嵌装着されるバンド帯である構成を採用することができる。かかる構成によれば、例えば、経年劣化したバンド帯を新しいものに交換したり、バンド帯を外してコアを掃除する等、メンテナンス性に優れると共に、コア全体を交換することなくバンド帯をペーパーの性状に応じて最適なもの（摩擦係数の違い等）に取り替えることもでき、コストパフォーマンスに優れる。
【００１３】
また、本発明は、前記コアは、幅サイズの異なる複数種類のリングを適宜組み合わせることにより、ペーパーの幅サイズに対応可能であり、しかも、複数種類のリングの一部は、前記バンド帯が外嵌装着されており、該バンド帯がペーパーの両サイドに対応する位置にくるようにリングを組み合わせてコアを構成するようにしてもよい。かかる構成によれば、種々の幅サイズのペーパーに容易に対応することができ、また、ペーパーの幅サイズ毎にコアを用意しておく必要がないため、保管場所を取らず、管理も楽になる。
【発明の効果】
【００１４】
以上のように、本発明は、巻芯の少なくともペーパーの両サイドに対応する位置に該ペーパーとの摩擦力を高めるための部材が配置されているため、巻き癖等の原因によりペーパーの先端の両サイドが巻芯側に反ったものであっても、当該部材によりペーパー及び巻芯間に十分な摩擦力を得ることができ、ペーパーの先端を巻芯に確実に巻き付けることができる。そして、その結果、ペーパーの巻き付けは確実に進行するため、例えば紙詰まりが発生するのを好適に防止することができる。
【発明を実施するための最良の形態】
【００１５】
以下、本発明の実施形態に係るペーパーマガジンを説明するに先立ち、該ペーパーマガジンを適用する写真処理装置（現像処理装置を備えない露光処理装置（画像形成装置）のみの写真処理装置）の概略構成について図１及び図２を参酌しつつ説明する。
【００１６】
上記写真処理装置は、搬送される長尺な感光材料Ｐに連続的に露光処理を施し、該露光処理済みの感光材料Ｐをロール状に巻き取って回収する、いわゆるRoll-to-Rollシステムが採用されている。即ち、上記写真処理装置は、長尺な感光材料Ｐに露光処理を連続的に行う装置本体１と、感光材料Ｐを収容可能に構成されると共に、該感光材料Ｐを装置本体１に供給する供給用ペーパーマガジン２と、露光処理後の感光材料Ｐをロール状に巻き取って回収する回収用ペーパーマガジン３とで構成されている。
【００１７】
装置本体１は、感光材料Ｐを搬送する搬送機構１０と、該搬送機構１０で搬送される感光材料Ｐに露光処理を施す露光ユニット１１と、感光材料Ｐを所定の長さで切断する切断装置１２とを備えており、これらは、筐体１３内に内装されている。また、装置本体１は、供給用ペーパーマガジン２が連結される供給側連結部１４と、回収用ペーパーマガジン３が連結される回収側連結部１５とを備えている。
【００１８】
搬送機構１０は、供給側連結部１４と回収側連結部１５との間で感光材料Ｐを搬送する搬送経路を形成しており、感光材料Ｐを搬送する複数の搬送ローラ対１００，…が、感光材料Ｐを搬送する方向に所定の間隔を有して配設されることによって構成されている。即ち、搬送機構１０は、供給側連結部１４に連結された供給用ペーパーマガジン２から供給されてくる感光材料Ｐを複数の搬送ローラ対１００，…で搬送し、回収側連結部１５に連結された回収用ペーパーマガジン３に送り込むように構成されている。
【００１９】
露光ユニット１１には、レーザー露光装置（レーザービーム方式の露光装置）が採用されている。尚、露光ユニット１１には、レーザービーム方式の他、ＰＬＺＴシャッター方式や、液晶シャッター方式、蛍光ビーム方式等の種々の露光装置を採用することができ、装置の仕様、露光処理の精度等に応じて適宜選択して採用することができる。
【００２０】
切断装置１２は、供給側連結部１４の下流側であって、感光材料Ｐに対して露光処理を行う露光領域の上流側に設けられており、供給用ペーパーマガジン２から連続的に供給されてくる長尺な感光材料Ｐを任意の箇所で切断できるようになっている。このように切断装置１２を設けることで、感光材料Ｐの搬送等のトラブルが発生した場合や、回収用ペーパーマガジン３での感光材料Ｐの回収状況、露光処理のオーダーの状況等に応じて、長尺な感光材料Ｐを適宜切断できるようになっている。
【００２１】
供給側連結部１４は、筐体１３の一方の側面側に供給用ペーパーマガジン２を連結可能に形成されている。具体的に説明すると、供給側連結部１４は、供給用ペーパーマガジン２の装着部２０を装填する供給側装填口１４０が筐体１３の一方の側面に形成されており、装着部２０が装填される供給側装填空間１４１が供給側装填口１４０から筐体１３の内部側に奥まって形成されている。
【００２２】
また、供給側装填空間１４１の上部位置には、供給用ペーパーマガジン２のペーパー供給口２１１から送り込まれる感光材料Ｐを受け入れるスリット状のペーパー受入口１４２が形成された供給側遮光体１４３が設けられている。該供給側遮光体１４３は、ペーパー受入口１４２が搬送機構１０を構成する最上流の搬送ローラ対１００及び適正な姿勢で装填された供給用ペーパーマガジン２のペーパー供給口２１１に対応するように配置され、これにより、供給側連結部１４に供給用ペーパーマガジン２の装着部２０が装着された状態で、ペーパー供給口２１１から供給される感光材料Ｐが露光処理前に感光されてしまうことなく、装置本体１内に供給できるようになっている。
【００２３】
さらに、供給側連結部１４は、供給用ペーパーマガジン２からの感光材料Ｐを受け入れるべく、供給用ペーパーマガジン２の送出ローラ対２１４を駆動するための供給側駆動伝達機構（図示しない）を備えている。該供給側駆動伝達機構は、ギヤ、チェーン等の機械要素の組み合わせにより構成されており、連結された供給用ペーパーマガジン２の送出ローラ対２１４に回転を伝達できるようになっている。
【００２４】
回収側連結部１５は、筐体１３の他方の側面側に回収用ペーパーマガジン３を連結可能に形成されている。具体的に説明すると、回収側連結部１５は、回収用ペーパーマガジン３の一部を装填する回収側装填口１５０が筐体１３の他方の側面に形成されており、回収用ペーパーマガジン３の一部が収容される回収側装填空間１５１が回収側装填口１５０から筐体１３の内部側に奥まって形成されている。
【００２５】
また、回収側装填空間１５１の上部位置には、回収用ペーパーマガジン３のペーパー受入口３１に露光処理済みの感光材料Ｐを送り出すスリット状のペーパー送出口１５２が形成された回収側遮光体１５３が設けられている。該回収側遮光体１５３は、ペーパー送出口１５２が搬送機構１０を構成する最下流の搬送ローラ対１００及び適正な姿勢で装填された回収用ペーパーマガジン３のペーパー受入口３１に対応するように配置されている。これにより、該回収側連結部１５に回収用ペーパーマガジン３が装着された状態で、回収用ペーパーマガジン３及び回収側遮光体１５３が密接状態になり且つペーパー送出口１５２及びペーパー受入口３１が連通することにより、ペーパー送出口１５２から送り出される感光材料Ｐが露光処理後に感光されてしまうことなく、回収用ペーパーマガジン３内に供給できるようになっている。
【００２６】
さらに、回収側連結部１５は、露光処理済みの感光材料Ｐを巻き取るべく回収用ペーパーマガジン３内に設けられたホルダーユニット３３を駆動するための回収側駆動伝達機構（図示しない）を備えている。該回収側駆動伝達機構は、ギヤ、チェーン等の機械要素の組み合わせにより構成されており、連結された回収用ペーパーマガジン３のホルダーユニット３３に回転を伝達できるようになっている。
【００２７】
供給用ペーパーマガジン２は、大径のロール体Ｒ（例えば、長さが４０００フィート（１２１９ｍ）で幅が１０インチ（２５４ｍｍ）の感光材料Ｐのロール体であって、重量が約８０ｋｇのロール体）を収容可能に構成され、重量がロール体Ｒと合わせて約１６０ｋｇとなる大型のペーパーマガジンである。該供給用ペーパーマガジン２は、上述の如く、ロール体Ｒを収容した状態で重量物になって作業者の労働負担が大きくなるといった理由から、作業者の手押しによって走行させる走行式となっている。
【００２８】
また、供給用ペーパーマガジン２は、長尺な感光材料Ｐのロール体Ｒを回転可能に収容する収容部２１と、上述の装着部２０とを備えている。収容部２１は、ロール体Ｒを収容するマガジン本体２１０と、該マガジン本体２１０にロール体Ｒを軸支させるためのホルダーユニット２２１とで構成され、マガジン本体２１０は、ロール体Ｒの周囲を包囲するように形成されたケース本体２１０ａと、該ケース本体２１０ａに回転自在に支持された蓋体２１０ｂとの二分割開閉式に構成されており、蓋体２１０ｂを閉状態にすることで内部を暗室状態にすることができるようになっている。
【００２９】
回収用ペーパーマガジン３は、回収した長尺な感光材料Ｐのロール体Ｒ’を収容するマガジン本体３２と、上述のホルダーユニット３３とで構成され、マガジン本体３２は、ロール体Ｒ’の周囲を包囲するように形成されたケース本体３２ａと、該ケース本体３２ａに回転自在に支持された蓋体３２ｂとの二分割開閉式に構成されており、供給用ペーパーマガジン２と同様、蓋体３２ｂを閉状態にすることで内部を暗室状態にすることができるようになっている。
【００３０】
尚、回収用ペーパーマガジン３は、別途用意された現像処理装置にも装着できるように構成されており、回収された感光材料Ｐ（ロール体Ｒ’）を取り出すことなく、現像処理装置に送り出せるようになっている。
【００３１】
写真処理装置の概略説明を以上の通りで、以下は、本実施形態において特徴となる回収用ペーパーマガジン３の構成について図面を参酌しつつ詳細に説明する。
【００３２】
まず、図３に示す如く、ホルダーユニット３３は、感光材料Ｐを巻き取るための巻芯３３０を備え、ケース本体３２ａに着脱自在に取り付けられる。巻芯３３０は、円柱状若しくは円筒状の巻芯本体３３１と、該巻芯本体３３１の軸中心に配置され、該巻芯本体３３１との相対回転変位を許容する軸体３３２とを備えている。また、軸体３３２は、巻芯本体３３１の各端面からそれぞれ所定量突出する長さに形成されており、該一対の突出端部３３２ａ，３３２ａがケース本体３２ａの開口縁部であってケース本体３２ａの幅方向に設けられた一対のスリット３２０ａ，３２０ａ（より正確には、ケース本体３２ａの開口縁部の内側であってケース本体３２ａの幅方向に取り付けられた一対のブロック３２０，３２０のそれぞれに形成されたスリット３２０ａ，３２０ａ）に係入することにより、ホルダーユニット３３をケース本体３２ａに取り付けた状態で、巻芯本体３３１が軸体３３２周りに回転でき、感光材料Ｐを巻き取れるようになっている。
【００３３】
巻芯３３０は、巻芯本体３３１に回り止めされた状態で外嵌装着される筒状のコア３３３をさらに備えている。該コア３３３は、巻芯本体３３１から外した状態でロール状に巻き取られた感光材料Ｐの芯を構成するもので、処理対象となる感光材料Ｐの幅サイズに応じて各種の幅（軸方向長さ）サイズのものが選択的に用いられる。
【００３４】
コア３３３は、基本となる数種類のリングを適宜組み合わせることにより、幅サイズを変えることができるようになっている。リングは、０．５インチ幅、１インチ幅、２インチ幅、４インチ幅が用意されており、各リングは、同径で且つ互いに嵌着し合うことができる形状となっている。
【００３５】
より詳しく言えば、０．５インチ幅のリング（図４（イ））、１インチ幅のリング（図４（ロ））及び２インチ幅のリング（図４（ハ））は、それぞれ、嵌合凸部３３３ａを一端に備えると共に、該嵌合凸部３３３ａを嵌入可能な嵌合凹部３３３ｂを他端に備え、且つ、突起を有する突片３３３ｃを嵌合凸部３３３ａに形成すると共に、該突起を係止する係止孔３３３ｄを嵌合凹部３３３ｂに形成したものである。４インチ幅のリング（図４（ニ））は、嵌合凹部３３３ｂを両端に備え、且つ、係止孔３３３ｄをそれぞれの嵌合凹部３３３ｂに形成したものである。
【００３６】
嵌合凸部３３３ａ及び嵌合凹部３３３ｂは、何れの幅のリングであっても同径に形成されている。また、突片３３３ｃ及び係止孔３３３ｄは、何れの幅のリングであっても同位置に形成されている。従って、リングをどのような組み合わせで組み付けた場合であっても、嵌合凹部３３３ｂに嵌合凸部３３３ａが嵌入された状態で、突片３３３ｃの突起が係止孔３３３ｄに係入して係止され、リングの嵌着状態は確実に維持されるようになっている。
【００３７】
また、２インチ幅のリング（図４（ハ））及び４インチ幅のリング（図４（ニ））は、所定幅（例えば２５ｍｍ）の円周溝３３３ｅを備えており、感光材料Ｐとの摩擦力を高めるべく、合成樹脂製のバンド帯が該円周溝３３３ｅに外嵌装着されるようになっている。因みに、２インチ幅のリングには、円周溝３３３ｅが一つ、４インチ幅のリングには、円周溝３３３ｅが三つ横並びに、それぞれ形成されている。
【００３８】
図５のコア３３３Ａは、４インチ幅のリングのみからなる４インチ幅感光材料対応のコアである。コア３３３Ｂは、４インチ幅のリングの両端にそれぞれ０．５インチ幅のリングを組み付けた５インチ幅感光材料対応のコアである。コア３３３Ｃは、４インチ幅のリングの両端にそれぞれ１インチ幅のリングを組み付けた６インチ幅感光材料対応のコアである。コア３３３Ｄは、４インチ幅のリングの両端にそれぞれ２インチ幅のリングを組み付けた８インチ幅感光材料対応のコアである。
【００３９】
コア３３３Ｅは、４インチ幅のリングの両端にそれぞれ１インチ幅のリングを組み付け、さらにその両端にそれぞれ２インチ幅のリングを組み付けた１０インチ幅感光材料対応のコアである。コア３３３Ｆは、４インチ幅のリングの両端にそれぞれ０．５インチ幅のリングを組み付け、さらにその両端にそれぞれ１インチ幅のリングを組み付け、さらにその両端にそれぞれ２インチ幅のリングを組み付けた１１インチ幅感光材料対応のコアである。コア３３３Ｇは、４インチ幅のリングの両端にそれぞれ２インチ幅のリングを組み付け、さらにその両端にそれぞれ２インチ幅のリングを組み付けた１２インチ幅感光材料対応のコアである。
【００４０】
ここで、特筆すべきは、何れの幅サイズのコア３３３も、少なくともその両サイドにバンド帯３３３ｆ，３３３ｆが所在するようにしていることである。両サイドが巻芯３３０に巻き付いてくれないことには、巻芯３３０への巻き付けが進行しない。その結果、巻芯３３０が空転し続け、これに対し、感光材料Ｐは順次送り込まれてくるので、紙詰まりが発生してしまう。この点を考慮し、コア３３３は、感光材料Ｐの先端の両サイドが接触する部分にバンド帯３３３ｆが所在するようにし、感光材料Ｐの先端の巻芯３３０への巻き付けを確実にしている。
【００４１】
図３に戻り、ホルダーユニット３３は、リール板３３４をさらに備えている。該リール板３３４は、巻芯本体３３１の外径と一致する円孔３３４ａを中心に備えたディスク盤であり、操作部３３４ｂを引き操作することにより、円孔３３４ａ内に進出する爪３３４ｃ，３３４ｃが円孔３３４ａから退避して、リール板３３４を巻芯本体３３１に外挿することができ、また、巻芯本体３３１の外周面に形成された円周溝３３１ａが所在する位置で操作部３３４ｂを解除操作することにより、爪３３４ｃ，３３４ｃが円孔３３４ａ内に進出すると共に円周溝３３１ａに係入し、リール板３３４を巻芯本体３３１に固定することができる。
【００４２】
円周溝３３１ａは、何れの幅サイズのコア３３３が取り付けられた状態であっても、コア３３３の両開口端近傍に所在するよう複数形成されており、処理対象となる感光材料Ｐの幅サイズに応じて選択されたコア３３３の両開口端に所在するそれぞれ円周溝３３１ａにリール板３３４を取り付ける。尚、何れの幅サイズのコア３３３であっても、その幅方向中心が巻芯本体３３１の幅方向中心と略一致するように巻芯本体３３１に外嵌装着されるようになっている。
【００４３】
このように、４〜１２インチの範囲でコア３３３を選択し、これを巻芯本体３３１に外嵌装着した後、コア３３３の両側に位置するようにリール板３３４，３３４を巻芯本体３３１に取り付け（一対のリール板３３４，３３４の間隔をコア３３３の幅サイズ（即ち、処理対象となる感光材料Ｐの幅サイズ）と一致させ）、このホルダーユニット３３をマガジン本体３２にセットすることにより、一対のリール板３３４，３３４が感光材料Ｐの蛇行を規制しつつ、選択されたコア３３３に応じた幅サイズの感光材料Ｐを正しく巻芯３３０に巻き取っていくことができる。
【００４４】
また、巻芯３３０は、一方の端部（以下、感光材料Ｐの搬送方向上流側から下流側を見て左側を「一方」、右側を「他方」という）、より正確には、巻芯本体３３１の一方の端面に固定されて、出力ギヤ３３５が設けられている。該出力ギヤ３３５は、上述の如く、装置本体１の回収側連結部１５に設けられた回収側駆動伝達機構から駆動が伝達されることにより、巻芯本体３３１が装置本体１の搬送機構１０（搬送ローラ対１００，…）と同期して回転するようになっている。
【００４５】
回収用ペーパーマガジン３の内部機構を一方から見た図６及び該内部機構を他方から見た図７を参酌してより詳細に説明すると、マガジン本体３２から一部分が臨出する外部入力手段としての巻芯駆動入力ギヤ３４０と、前記出力ギヤ３３５とが中間伝達機構を介して連結され、回収用ペーパーマガジン３を回収側連結部１５に装着した際、該回収側連結部１５の回収側駆動伝達機構の一部をなして回収側連結部１５から一部分が臨出する駆動ギヤ（図示しない）に巻芯駆動入力ギヤ３４０が噛合することにより、回収側連結部１５の回収側駆動伝達機構と巻芯３３０の出力ギヤ３３５とが連結される構成である。
【００４６】
巻芯駆動入力ギヤ３４０は、マガジン本体３２の四隅のうち、前下方の隅部空間（以下、巻芯３３０を中心として、搬送方向上流側を「前方」、搬送方向下流側を「後方」、天側を「上方」、地側を「下方」という）であって、マガジン本体３２の他方の内側壁近傍位置に配置されており、マガジン本体３２の一方の内側壁近傍位置に配置されることとなる出力ギヤ３３５に中間伝達機構を介して駆動が伝達される。
【００４７】
中間伝達機構は、巻芯駆動入力ギヤ３４０と同軸に設けられる第１中間ギヤ（図示しない）と、該第１中間ギヤに噛合する第２中間ギヤ３４２と、該第２中間ギヤ３４２と同軸に設けられる第３中間ギヤ３４３と、該第３中間ギヤ３４３に噛合する第４中間ギヤ３４４と、該第４中間ギヤ３４４に噛合する第５中間ギヤ３４５とからなり、該第５中間ギヤ３４５が巻芯３３０の出力ギヤ３３５に噛合するようになっている。
【００４８】
第１中間ギヤから第３中間ギヤ３４３にかけては、巻芯駆動入力ギヤ３４０と同様、マガジン本体３２の四隅のうち、前下方の隅部空間に配置されるが、第１中間ギヤ及び第２中間ギヤ３４２がマガジン本体３２の一方の内側壁と他方の内側壁との間の一方の内側壁寄り位置に配置され、第３中間ギヤ３４３がマガジン本体３２の一方の内側壁近傍位置に配置されることにより、回収側連結部１５の回収側駆動伝達機構からの駆動力は、マガジン本体３２の他方の内側壁側から一方の内側壁側に伝達される。第４中間ギヤ３４４及び第５中間ギヤ３４５も、第３中間ギヤ３４３と同様、マガジン本体３２の一方の内側壁近傍位置であって、第３中間ギヤ３４３と巻芯３３０の出力ギヤ３３５とを連結すべく適宜の位置に配置される。
【００４９】
このように、巻芯駆動入力ギヤ３４０を含め、第１中間ギヤから第３中間ギヤ３４３は、マガジン本体３２の前下方の隅部空間に配置され、また、出力ギヤ３３５を含め、第３中間ギヤ３４３から第５中間ギヤ３４５は、マガジン本体３２の一方の内側壁とホルダーユニット３３の一方のリール板３３４との間で画される側方空間に配置されることとなる。従って、これらのデッドスペースを利用した配置構造により、マガジン本体３２の拡大化を防止することができる。
【００５０】
尚、巻芯駆動入力ギヤ３４０から出力ギヤ３５５にかけての歯車比を適宜設定して、巻芯３３０における感光材料Ｐの巻取り速度が装置本体１の搬送機構１０における感光材料Ｐの搬送速度（正確には、装置本体１から回収用ペーパーマガジン３へ送り出される感光材料Ｐの搬送速度）よりも速くなるようにしている。これは、感光材料Ｐにバックテンションを与えて該感光材料Ｐをたるみのないきれいな状態で巻き取るための施策である。但し、バックテンションが強すぎると感光材料Ｐがダメージを受けるおそれがあるため、巻芯駆動入力ギヤ３４０と第１中間ギヤとの間にスベリクラッチ３４１を介設し、感光材料Ｐに一定値以上のバックテンションが掛からないようにしている。
【００５１】
また、回収用ペーパーマガジン３は、巻芯３３０を中心として、その周辺に渦巻き放射状に複数の巻取りガイド（第１巻取りガイド３５、第２巻取りガイド３６、第３巻取りガイド３７）をマガジン本体３２内に備えている。巻取りガイド３５，３６，３７は、それぞれ基端部を支点として揺動自在に支持されており、各巻取りガイド３５，３６，３７の先端部内面を組み合わせて巻芯３３０の周囲に感光材料Ｐの環状経路Ｌを形成する。
【００５２】
第１巻取りガイド３５は、巻芯３３０の上方約３分の１円弧を覆うように先端部が巻芯３３０に沿って湾曲された板状体であり、第２巻取りガイド３６は、巻芯３３０の下方約３分の１円弧を覆うように先端部が巻芯３３０に沿って湾曲された板状体であり、第３巻取りガイド３７は、巻芯３３０の前方約３分の１円弧を覆うように先端部が巻芯３３０に沿って湾曲された板状体であり、それぞれの基端部に取り付けられた第１軸３５０、第２軸３６０、第３軸３７０がマガジン本体３２に支持されて揺動自在となる。
【００５３】
また、回収用ペーパーマガジン３は、巻取りガイド３５，３６，３７のうち、マガジン本体３２のペーパー受入口３１側に位置する（即ち、ペーパー受入口３１を介してマガジン本体３２内に送り込まれた感光材料Ｐの先端が最初に接触する）巻取りガイド３５と対向する付設ガイド３８をさらに備えている。付設ガイド３８も、基端部を支点として揺動自在に支持されており、第１巻取りガイド３５の基端部から先端部に至るまでの直線状部位との間で、感光材料Ｐをペーパー受入口３１から環状経路Ｌに案内するための誘導経路Ｍを形成する。該付設ガイド３８は、先端部が湾曲されていない板状体であり、基端部に取り付けられた第４軸３８０がマガジン本体３２に支持されて揺動自在となる。
【００５４】
そして、一部分がマガジン本体３２から臨出すると共に、回収用ペーパーマガジン３を装置本体１の回収側連結部１５に装着した状態で、該回収側連結部１５の前記回収側駆動伝達機構とは別個独立の駆動伝達機構の一部をなして回収側連結部１５から一部分が臨出する第２駆動ギヤ（図示しない）に噛合する外部入力手段としてのガイド駆動入力ギヤ４００と、第１軸３５０の端部に取り付けられた第１軸レバー３５１、第２軸３６０の端部に取り付けられた第２軸レバー３６１、第３軸３７０の端部に取り付けられた第３軸レバー３７１及び第４軸３８０の端部に取り付けられた第４軸レバー３８１とが作動機構を介して連結されている。
【００５５】
作動機構は、２系統に大別される。１番目の系統は、ガイド駆動入力ギヤ４００と同軸に設けられる第１プーリ（図示しない）と、該第１プーリに巻き掛けられる第１ベルト４０１と、該第１ベルト４０１が巻き掛けられる第２プーリ４０２と、該第２プーリ４０２と同軸に設けられる第３プーリ４０３と、該第３プーリ４０３に巻き掛けられる第２ベルト４０４と、該第２ベルト４０４が巻き掛けられる第４プーリ４０５と、該第４プーリ４０５と同軸に設けられる第６中間ギヤ４０６と、該第６中間ギヤ４０６に噛合する第７中間ギヤ４０７と、該第７中間ギヤ４０７に噛合する第８中間ギヤ４０８と、該第８中間ギヤ４０８に噛合する第９中間ギヤ４０９と、該第９中間ギヤ４０９に噛合するレバーギヤ４１０と、該レバーギヤ４１０の第１部位に一端部が作動的に連結された第１リンク４１１と、レバーギヤ４１０の第２部位に一端部が作動的に連結された第２リンク４１２とからなり、第１リンク４１１の他端部が第１軸レバー３５１に作動的に連結されると共に、第２リンク４１２の他端部が第２軸レバー３６１に作動的に連結される。
【００５６】
２番目の系統は、前記第１プーリ及び前記第１ベルト４０１を１番目の系統と共用し、さらに、該第１ベルト４０１が巻き掛けられる第５プーリ４１３と、該第５プーリ４１３の回転軸に取り付けられたレバー４１４と、該レバー４１４の第１部位に一端部が作動的に連結された第３リンク４１５と、レバー４１４の第２部位に一端部が作動的に連結された第４リンク４１６とからなり、第３リンク４１５の他端部が第３軸レバー３７１に作動的に連結されると共に、第４リンク４１６の他端部が第４軸レバー３８１に作動的に連結される。
【００５７】
従って、回収側連結部１５の前記第２駆動ギヤが所定角度回転すれば、１番目の系統におけるレバーギヤ４１０が所定角度回転することにより、第１リンク４１１及び第２リンク４１２が往動して、第１巻取りガイド３５及び第２巻取りガイド３６が巻芯３３０に接近する方向に揺動すると同時に、２番目の系統におけるレバー４１４が所定角度回転することにより、第３リンク４１５及び第４リンク４１６が往動して、第３巻取りガイド３７及び付設ガイド３８が巻芯３３０に接近する方向に揺動する。その結果、各巻取りガイド３５，３６，３７の先端部と巻芯３３０との間に前記環状経路Ｌが形成されると共に、巻取りガイド３５と付設ガイド３８との間に前記誘導経路Ｍが形成される、セット位置状態が実現される。
【００５８】
一方、前記第２駆動ギヤが反対方向に同じ角度だけ回転すれば、１番目の系統におけるレバーギヤ４１０も反対方向に回転して、第１リンク４１１及び第２リンク４１２が復動し、第１巻取りガイド３５及び第２巻取りガイド３６が巻芯３３０から離間する方向に揺動すると同時に、２番目の系統におけるレバー４１４も反対方向に回転して、第３リンク４１５及び第４リンク４１６が復動し、第３巻取りガイド３７及び付設ガイド３８が巻芯３３０から離間する方向に揺動する。その結果、図８に示す如く、環状経路Ｌ及び誘導経路Ｍが開放される、セット解除位置状態が実現される。
【００５９】
このように、巻取りガイド３５，３６，３７及び付設ガイド３８は、同期して移動するように作動機構を介して相互が連結されているため、一つの駆動源（回収側連結部１５の第２駆動ギヤ）を制御（回転角度制御）するだけで、セット位置状態とセット解除位置状態とに迅速に切り替えることができるのである。
【００６０】
尚、セット位置状態とセット解除位置状態との間で揺動する巻取りガイド３５，３６，３７及び付設ガイド３８がホルダーユニット３３のリール板３３４，３３４と干渉することのないよう、巻取りガイド３５，３６，３７及び付設ガイド３８は、リール板３３４，３３４の最小間隔（即ち、感光材料Ｐの最小幅サイズ、本実施形態では４インチ）よりも小さい幅サイズで形成されている。
【００６１】
また、第１リンク４１１、第２リンク４１２、第３リンク４１５及び第４リンク４１６のそれぞれ他端部には、所定長さの長孔が形成されており、第１軸レバー３５１、第２軸レバー３６１、第３軸レバー３７１及び第４軸レバー３８１のそれぞれに形成されたピンが各長孔に挿通されることにより、第１リンク４１１及び第１軸レバー３５１、第２リンク４１２及び第２軸レバー３６１、第３リンク４１５及び第３軸レバー３７１、第４リンク４１６及び第４軸レバー３８１のそれぞれが遊びを有して作動的に連結されている。そのため、セット位置状態及びセット解除位置状態の何れにおいても、構成部品の寸法誤差や組立誤差の影響を受けることなく、各巻取りガイド３５，３６，３７及び付設ガイド３８の位置精度を好適に維持することができる。
【００６２】
ここで、前記１番目の系統において、第１プーリ、第１ベルト４０１及び第２プーリ４０２は、マガジン本体３２の他方の内側壁近傍位置に配置され、第３プーリ４０３がマガジン本体３２の一方の内側壁近傍位置に配置されることにより、回収側連結部１５の駆動伝達機構からの駆動力は、マガジン本体３２の他方の内側壁側から一方の内側壁側に伝達される。第２ベルト４０４、第４プーリ４０５、第６中間ギヤ４０６、第７中間ギヤ４０７、第８中間ギヤ４０８、第９中間ギヤ４０９、レバーギヤ４１０、第１リンク４１１及び第２リンク４１２は、マガジン本体３２の一方の内側壁近傍位置に配置される。また、前記２番目の系統において、第５プーリ４１３、レバー４１４、第３リンク４１５及び第４リンク４１６の全てがマガジン本体３２の他方の内側壁近傍位置に配置される。
【００６３】
このように、ガイド駆動入力ギヤ４００を含め、１番目の系統及び２番目の系統からなる作動機構の構成要素全てが、マガジン本体３２の内側壁とホルダーユニット３３のリール板３３４との間で画される側方空間に配置されることとなる。従って、この配置構造によっても、マガジン本体３２の拡大化を防止することができる。
【００６４】
しかも、１番目の系統の作動機構は、マガジン本体３２のケース本体３２ａ側にて駆動力を受けて蓋体３２ｂ側の第１巻取りガイド３５及び第２巻取りガイド３６を駆動する関係上、ケース本体３２ａと蓋体２３ｂとに跨って配置されることとなるが、ケース本体３２ａと蓋体２３ｂとの分割ラインを跨いで、ケース本体３２ａ側には、ギヤ列の一つである第６中間ギヤ４０６を配置し、蓋体３２ｂ側には、隣接する第７中間ギヤ４０７を配置することにより、作動機構を途中位置にて分断して蓋体３２ｂを開放できる設計としている。勿論、ケース本体３２ａ側の第３巻取りガイド３７及び付設ガイド３８を駆動する２番目の系統の作動機構は、全ての構成要素がケース本体３２ａ側に配置されるものなので、１番目の系統の作動機構と同様の設計にする必要はない。
【００６５】
図６に戻り、各巻取りガイド３５，３６，３７の先端部には、一部分が巻取りガイド３５，３６，３７の内面側に臨出して、巻芯３３０の外周面に接触し得るコロ（転動部材）３５２，３５２，３７２が設けられている。これらにより、各巻取りガイド３５，３６，３７の先端部の内面（円弧面）と巻芯３３０の外周面とが所定間隔を有して離間するため、セット位置状態においては、巻取りガイド３５，３６，３７と巻芯３３０との相対的な位置関係の安定化が実現され、感光材料Ｐの好適な環状経路Ｌが確保される。しかも、巻取りガイド３５，３６，３７の先端部が巻芯３３０の外周面に接触して、巻芯３３０の円滑な回転が阻害されたり、あるいは紙詰まりが生じたり、最悪の場合、巻芯３３０にブレーキが掛かって、強制的に回転停止されてしまう、といった各種の問題も生じない。
【００６６】
また、各コロ３５２，３６２，３７２が圧着作用を持って巻芯３３０の外周面に接触するため、適切な圧着力を巻芯３３０に加えることができ、感光材料Ｐ（の特に先端）のスベリを無くして巻芯３３０に確実に巻き付かせることが可能となる。尚、好適な圧着作用を得るべく、セット位置状態における各巻取りガイド３５，３６，３７の先端部を巻芯３３０側に付勢させる例えばコイルバネ、ねじりコイルバネ等の付勢部材を各巻取りガイド３５，３６，３７あるいは作動機構の何れかの箇所に設ける構成（本実施形態においては、レバー４１４上に設けた一対のバネ（付勢部材）４１４ａ，４１４ｂ）を採用してもよいし、あるいは作動機構にオーバードライブ（負荷駆動）を与える制御及び／又は機構としてもよい。但し、コロ３５２，３６２，２７２に直接付勢部材を組み込む構成は、好適な圧着作用が得られるものの、巻取りガイド３５，３６，３７の巻芯３３０に対する位置決め精度が悪くなり、紙詰まりの問題が発生し得るので、採用しない方が良い。
【００６７】
同様にして、第１巻取りガイド３５と付設ガイド３８との対向部位にも、コロ３５３，３８２が設けられ、コロ３５３，３８２同士が接触することにより、第１巻取りガイド３５の内面（平面）と付設ガイド３８の内面（平面）とが所定間隔を有して離間するため、セット位置状態においては、第１巻取りガイド３５と付設ガイド３８との相対的な位置関係が実現され、感光材料Ｐの好適な誘導経路Ｍが確保されるようになっている。
【００６８】
以上の構成からなる回収用ペーパーマガジン３によれば、図６及び図７に示すセット位置状態において、ペーパー受入口３１からマガジン本体３２内に送り込まれた感光材料Ｐの先端が誘導経路Ｍを通って環状経路Ｌ内に入り込む。この時、感光材料Ｐ及び巻芯３３０表面間の摩擦力により、感光材料Ｐの先端が巻き付き、しかる後は、巻芯３３０（巻芯本体３３１）の回転に伴って感光材料Ｐが巻き取られていく。装置本体１側は回収用ペーパーマガジン３に対する感光材料Ｐの送り出し量を把握しているので、この情報に基づき感光材料Ｐが巻芯３３０に所定周回分巻き取られたと判断されると、各巻取りガイド３５，３６，３７及び付設ガイド３８が退避方向に揺動し、環状経路Ｌ及び誘導経路Ｍが開放されて、図８に示すセット解除位置状態となり、しかる後は、その状態で感光材料Ｐが巻芯３３０に巻き取られていくのである。
【００６９】
ここで、付設ガイド３８は、上述の如く、感光材料Ｐの最小幅サイズよりも小さい幅サイズで形成されるため、幅サイズの大きな感光材料Ｐであれば、その両サイドが付設ガイド３８の幅方向からはみ出し、垂れ下がる格好となってしまう。そうであれば、感光材料Ｐの先端が誘導経路Ｍから環状経路Ｌへ移行する際、巻芯３３０の表面に対する両サイドの進入角度は大きくなり、両サイドが巻芯３３０と当たって巻芯３３０へ巻き付けがうまくいかなくなるおそれがあるが、本実施形態においては、感光材料Ｐの両サイドに対応する巻芯３３０の位置にバンド帯３３３ｆ，３３３ｆが設けられており、巻芯３３０の回転に伴ってバンド帯３３３ｆ，３３３ｆが垂れ下がった感光材料Ｐの両サイドをすくい上げる作用を奏するため、感光材料Ｐの先端は自然と巻芯３３０の接線方向に倣い、その結果、巻芯３３０に適正に巻き付けられていくこととなる。バンド帯３３３ｆは、この点でも重要な構成要素となっている。
【００７０】
尚、本発明に係るペーパーマガジンは、上記実施形態に限定されるものではなく、本発明の要旨を逸脱しない範囲で種々の変更が可能である。
【００７１】
例えば、上記実施形態においては、ペーパーとの摩擦力を高めるための部材として、取り外し可能な合成樹脂製のバンド帯３３３ｆを用いているが、これに限定されず、例えば所定大きさの合成樹脂製部材をインサート成型によりコア３３３に一体化させるようにしてもよい。
【００７２】
また、上記実施形態においては、コア３３３の全周にペーパーとの摩擦力を高めるための部材を配置しているが、周方向に断続的に配置するようにしてもよい。但し、コア３３３表面の連続性を担保してペーパーの引っ掛かりを少なくするという点では、全周に配置するのが好ましい。
【００７３】
また、上記実施形態においては、コア３３３を分割式にしているが、ペーパーの幅サイズに応じたそれぞれコアを用意してもよい。この場合、それぞれコアの少なくとも両サイドにペーパーとの摩擦力を高めるための部材を配置することになる。
【図面の簡単な説明】
【００７４】
【図１】本実施形態に係るペーパーマガジンを適用する写真処理装置の側面図を示す。
【図２】同写真処理装置の断面側面図を示す。
【図３】同ペーパーマガジンのうちの主としてホルダーユニットの外観斜視図を示す。
【図４】同ペーパーマガジンの巻芯に用いられる各種コアを構成するリングの側面図であって、（イ）は、０．５インチ幅のリング、（ロ）は、１インチ幅のリング、（ハ）は、２インチ幅のリング、（ニ）は、４インチ幅のリングを示す。
【図５】同ペーパーマガジンの巻芯に用いられる各種コアの外観斜視図を示す。
【図６】同ペーパーマガジンであって、セット位置状態における内部構成の斜視図を示す。
【図７】同側面図を示す。
【図８】同ペーパーマガジンであって、セット解除位置状態における内部構成の斜視図を示す。
【図９】従来のペーパーマガジンの断面図であって、（イ）は、セット位置状態、（ロ）は、セット解除位置状態を示す。
【符号の説明】
【００７５】
３  回収用ペーパーマガジン
３１  ペーパー受入口
３２  マガジン本体
３３  ホルダーユニット
３３０  巻芯
３３１  巻芯本体
３３３  コア
３３３ａ  嵌合凸部
３３３ｂ  嵌合凹部
３３３ｃ  突片
３３３ｄ  係止孔
３３３ｅ  円周溝
３３３ｆ  バンド帯
３５  第１巻取りガイド
３６  第２巻取りガイド
３７  第３巻取りガイド
３８  付設ガイド
Ｌ  環状経路
Ｍ  誘導経路
Ｐ  感光材料
Ｒ，Ｒ’  ロール体
【図１】
2006098714.tif 000003
【図２】
2006098714.tif 000004
【図３】
2006098714.tif 000005
【図４】
2006098714.tif 000006
【図５】
2006098714.tif 000007
【図６】
2006098714.tif 000008
【図７】
2006098714.tif 000009
【図８】
2006098714.tif 000010
【図９】
2006098714.tif 000011